(57)【要約】【課題】  水漏れの虞なく、植物に給水することのできる植物給水用の保水袋を提供する。【解決手段】  植物給水用の保水袋１であって、  袋部２と、漏水防止部３とから構成され、  前記袋部２は上端が植物差込口５となって開口し、下部が貯水可能な貯水部６となり、前記漏水防止部３は、前記植物差込口５に取り付けられると共に、この植物差込口５から袋部２内に延設されて、内側が、前記根付き植物、又は根切りした植物を挿通させる植物挿通路になり、前記漏水防止部３は前記貯水部６に到達しない長さに延設され、前記漏水防止部３の横側には、漏水防止部３と袋部２内面との間に空間４が設けられ、この空間４の容量は前記貯水部６の容量以上である。【選択図】図１
2009178147.tif 000002
【特許請求の範囲】
【請求項１】
扁平に折り畳み可能なシート材によって貯水可能な袋状に形成され、根付き植物の根、又は根切りした植物の茎の切断先端部を覆うことで、根付き植物、又は根切りした植物に水を供給するための植物給水用の保水袋であって、
袋部と、漏水防止部とから構成され、
前記袋部は上端が植物差込口となって開口し、下部が貯水可能な貯水部となり、
前記漏水防止部は、前記植物差込口に取り付けられると共に、この植物差込口から袋部内に延設されて、内側が、前記根付き植物、又は根切りした植物を挿通させる植物挿通路になり、
前記漏水防止部は前記貯水部に到達しない長さに延設され、
前記漏水防止部の横側には、漏水防止部と袋部内面との間に空間が設けられ、この空間の容量は前記貯水部の容量以上であることを特徴とする植物給水用の保水袋。
【請求項２】
前記漏水防止部が下方へ向けて先細状に形成されることによって、前記袋部内面と漏水防止部との間に前記空間が設けられていることを特徴とする請求項１に記載の植物給水用の保水袋。
【請求項３】
前記漏水防止部の横断面が、前記袋部の横断面よりも小さく形成されることによって前記空間が設けられると共に、前記袋部の前記植物差込口は漏水防止部の外側において閉塞されていることを特徴とする請求項１又は請求項２に記載の植物給水用の保水袋。
【請求項４】
根付き植物、又は根切りした植物を前記袋部内へ案内するための植物案内部が、前記植物差込口から上方へ延設されていることを特徴とする請求項１乃至３の何れか１項に記載の植物給水用の保水袋。
【請求項５】
ポリエステルで形成されたことを特徴とする請求項１乃至請求項４の何れか１項に記載の植物給水用の保水袋。
【発明の詳細な説明】
【技術分野】
【０００１】
本発明は、貯水可能な袋状に形成されて、根付きした植物、又は根切りした植物の茎の切断先端部を覆うことで、これら植物に給水するようにした植物給水用の保水袋に関するものである。
【背景技術】
【０００２】
切花等を出荷する際において、切花等に給水する場合、切花等を収容した容器内に例えばジェル等を備えることで、切花等にジェル等から水分を供給していた。
【発明の開示】
【発明が解決しようとする課題】
【０００３】
しかし、切花を多量に出荷するような場合には、ジェル等を購入するために高額な費用が必要になるために、従来から安価な手段によって、切花等に水を供給できる対策が望まれていた。
【０００４】
又、切花に関する特許文献１が提案されているが、この特許文献１には、安価な手段によって、切花等に水を補給できる対策については全く記載されていない。又、切花に給水することも考えられるが、単に、袋内に水を貯水するだけでは、袋を傾けるだけで、容易に水漏れがするという問題があった。
【０００５】
【特許文献１】特開２００７−２８２９６１号公報
【０００６】
本発明は、前記従来技術の課題を解決するためになされたもので、その目的は、安価な手段によって、水漏れの心配なく、根付き植物、又は、根切りした植物に給水できるようにした植物給水用の保水袋を提供することにある。
【課題を解決するための手段】
【０００７】
請求項１に記載の発明は、扁平に折り畳み可能なシート材によって貯水可能な袋状に形成され、根付き植物の根、又は根切りした植物の茎の切断先端部を覆うことで、根付き植物、又は根切りした植物に水を供給するための保水袋であって、
袋部と、漏水防止部とから構成され、
前記袋部は上端が植物差込口となって開口し、下部が貯水可能な貯水部となり、
前記漏水防止部は、前記植物差込口に取り付けられると共に、この植物差込口から袋部内に延設されて、内側が、前記根付き植物、又は根切りした植物を挿通させる植物挿通路になり、
前記漏水防止部は前記貯水部に到達しない長さに延設され、
前記漏水防止部の横側には、漏水防止部と袋部内面との間に空間が設けられ、この空間の容量は前記貯水部の容量以上であることを特徴とするものである。
【０００８】
請求項２に記載の発明は、請求項１に記載の発明において、前記漏水防止部が下方へ向けて先細状に形成されることによって、前記袋部内面と漏水防止部との間に前記空間が設けられていることを特徴とするものである。
【０００９】
請求項３に記載の発明は、請求項１又は請求項２に記載の発明において、前記漏水防止部の横断面が、前記袋部の横断面よりも小さく形成されることによって前記空間が設けられると共に、前記袋部の前記植物差込端は漏水防止部の外側において閉塞されていることを特徴とするものである。
【００１０】
請求項４に記載の発明は、請求項１乃至請求項３の何れか１項に記載の発明において、
根付き植物、又は根切りした植物を前記袋部内へ案内するための植物案内部が、前記植物差込端から上方へ延設されていることを特徴とするものである。
【００１１】
請求項５に記載の発明は、請求項１乃至請求項４の何れか１項に記載の発明において、植物給水用の保水袋がポリエステルで形成されたことを特徴とするものである。
【発明の効果】
【００１２】
請求項１に記載の発明によれば、根付き植物の根、又は根切りした植物の茎の切断先端部は、植物差込口から漏水防止部を経て貯水部内へ貯水部内へ差し込まれることによって、貯水部内の水は、これら根付き植物、又は、根切りした植物に吸水される。又、袋部が横倒しになった場合、貯水部内の水は、空間内へ移動するだけで、漏水防止部内へ移動することがないために、水は、漏水防止部を経て袋部外へ漏水することがない。
【００１３】
請求項２に記載の発明によれば、漏水防止部が先細状に形成されているために、漏水防止部と袋部との間に空間を形成することができる。このため、袋部を横倒しにした際には、貯水部内の水は、この空間内に移動するだけで、袋部外へは漏水しない。
【００１４】
請求項３に記載の発明によれば、漏水防止部の横断面の大きさを、袋部の横断面の大きさよりも小さく形成することによって、漏水防止部と袋部との間に空間を形成することができる。このため、袋部を横倒しにした際には、貯水部内の水は、この空間内に移動するだけで、袋部外へは漏水しない。
【００１５】
請求項４に記載の発明によれば、根付き植物、又は、根切りした植物を袋部内へ案内するための案内部を設けたために、これら根付き植物、又は、根切りした植物は、案内部にガイドされながら袋部内へ差し込まれる。
【００１６】
請求項５に記載の発明によれば、ポリエチレンによって、植物給水用の保水袋を製造することができる。
【発明を実施するための最良の形態】
【００１７】
図１乃至図７は、本発明の第１実施形態を示す。図１は、植物給水用の保水袋に根切りした植物を差し込んだ状態の斜視図である。図２は、植物給水用の保水袋の正面図である。図３は、植物給水用の保水袋の一部を切り欠いた状態の斜視図である。図４は、植物給水用の保水袋を下側から観た状態の一部斜視図である。図５は、植物給水用の保水袋に根切りした植物を差し込んだ状態の側断面図である。図６は作用を説明する植物給水用の保水袋の正面図である。図７は、作用を説明する植物給水用の保水袋の側断面図である。
【００１８】
植物給水用の保水袋１は、シート材によって、扁平に折り畳み可能に形成されている。植物給水用の保水袋１は、袋部２と、漏水防止部３とから構成されて、袋部２の内面と漏水防止部３との間が空間４となっている。この植物給水用の保水袋１は、根付き植物の根、又は根切りした植物の茎の切断先端部を覆うことで、根付き植物の根、又は根切りした植物に水を補給するためのものである。以下の説明では、根切りした植物Ｓに給水する場合について説明する。
【００１９】
前記根切りした植物とは、根が切断された植物で、切花等が該当する。又、根付き植物とは、根を備えている植物が該当する。
【００２０】
前記袋部２は、上端が植物差込口５となって開口することで、この植物差込口５から根切りした植物Ｓが差し込まれ、下部が貯水部６となって貯水可能となっている。又、図４に示すように、袋部２の底面を内側へ折り込む折り目７が形成され、この折り目７を広げることによって、袋部２の下部側が広がるようになっている。
【００２１】
前記漏水防止部３は、前記袋部２内に設けられている。漏水防止部３は筒状に広がるものであって、その上端が、前記袋部２の植物差込口５に溶着等８の手段によって取り付けられている。漏水防止部３は、前記袋部２の貯水部６に到達しない長さに形成されている。漏水防止部３の内側は、根切りした植物Ｓが挿通する挿通路になっている。漏水防止部３は、下方へ向けて、先細状に形成されている。又、漏水防止部３からは、上方へ向けて植物案内部９が延設されている。この植物案内部９は、筒状に広がるものであって、この植物案内部９は、上方へ進むに従って横断面が拡大するように形成されている。
【００２２】
前記漏水防止部３は、その横断面が、前記袋部２の横断面よりも小さく形成されることによって、漏水防止部３と前記袋部２内面との間に前記空間４が形成されている。この空間４の容積は、前記貯水部６の容積よりも大きな容積になるように形成されている。前記袋部２の植物差込口５が、漏水防止部３の外側において溶着等８の手段で閉塞されることによって、前記空間４は閉塞している。
【００２３】
前記植物吸水用の保水袋１は、例えば、ポリエステル等の材料によって製造することができる。
【００２４】
次に作用について説明する。図１に示すように、植物案内部９の上端９Ａから、植物案内部９内へ水Ｗを供給する。水Ｗは、植物案内部９、及び漏水防止部３を通過して、貯水部６内に貯水される。
【００２５】
次に、植物案内部９の上端９Ａから根切りした植物Ｓを差し込み、この根切りした植物Ｓの茎の切断先端部を貯水部６内へ浸す。図５に示すように、貯水部６内の水Ｗは、この根切りした植物Ｓの茎の切断先端部からこの根切りした植物に吸水される。
【００２６】
次に、図６に示すように、植物給水用の保水袋１が横方向へ横倒しになったとする。この場合、貯水部６内に貯水されている水Ｗは、矢示のように、貯水部６内から空間４へ移動するだけで、漏水防止部３から袋部２外へ漏水しない。又、図７に示すように、植物給水用の保水袋１が前後方向へ横倒しになった場合にも、貯水部６内に貯水されている水Ｗは、貯水部６内から空間４へ移動するだけで、漏水防止部６から袋部２外へ漏水しない。
【００２７】
又、図１に示すように、貯水部６内へ水Ｗを貯水した場合、袋部２の底面側が広がる。このために、植物給水用の保水袋１は、根切りした植物Ｓを収容した状態において、横倒しになり難く、植物給水用の保水袋１は、安定感良く根切りした植物を収容することができる。
【００２８】
又、植物給水用の保水袋１が、シート材によって扁平に折り畳み可能に形成されているために、不使用時には、扁平にした状態で積み重ねることによって、狭いスペースに収容することができる。又、植物給水用の保水袋１内の水量が減少した場合には、図１に示すように、水Ｗを植物案内部９の上端９Ａから貯水部６内へ随時補給することができる。
【００２９】
図８及び図９は、第２実施形態を示す。この第２実施形態の特徴は、漏水防止部３が、図２に示す第１実施形態のように先細状に形成されず、漏水防止部３の横断面が上端から下端へ向けて同一の大きさに形成されている点にある。漏水防止部３の形状をこのように形成しても、漏水防止部３の横断面の大きさが、袋部２の横断面の大きさよりも小さく形成することによって、漏水防止部３と袋部２内面との間に、空間４が形成される。この第２実施形態においては、図９に示すように、袋部が横倒しになった場合に、貯水部６内の水Ｗは、矢示のように、空間４内へ移動することになって、漏水防止部３内へ入り込むことがないために、水Ｗは、袋部２外へ漏水しない。
【００３０】
図１０，図１１は、第３実施形態を示す。この第３実施形態の特徴は、漏水防止部３が下方へ向けて先細状に形成され、且つ、漏水防止部３の上端の横断面の大きさが、袋部２の植物差込口５の大きさと同一に形成されている点にある。この第３実施形態においては、漏水防止部３が下方へ向けて先細状に形成されているために、漏水防止部３と袋部２内面との間に、空間４が形成される。この第３実施形態においては、図１１に示すように、袋部２が横倒しになった場合に、貯水部６内の水Ｗは、空間４内へ移動することになって、漏水防止部３内へ入り込むことがないために、水Ｗは、袋部２外へ漏水しない。
【００３１】
図１２は、第４実施形態を示す。この第４実施形態の特徴は、漏水防止部３に複数の空気孔１０を設けた点にある。この第４実施形態においては、植物給水用の保水袋１を扁平にして積み重ねて保管する際に、袋部２内の空気は、前記空気孔１０を挿通して、漏水防止部３から袋部２の外部へ抜け出すことによって、植物給水用の保水袋１を容易に扁平にすることができて、植物給水用の保水袋１を狭いスペースに積み重ねるようにして保管することができる。
【００３２】
図１３は、第５実施形態を示す。この第５実施形態の特徴は、袋部２の底面に内側へ折り込むための折り目７を設ける他に、袋部２の側面にも、内側へ折り込むための折り目１１を設けた点にある。この第５実施形態においては、袋部２の貯水部６に水Ｗを入れた際に、袋部２の底面が広がる上に、袋部２の側面も広がることになって、袋部２内に植物Ｓを差し込んだ際に、植物給水用の保水袋１は、安定感が良く横倒れする虞が少ない。
【００３３】
図１４は、第６実施形態を示す。この第６実施形態の特徴は、根切りした植物Ｓを袋部２内へ案内するための植物案内部９を長く延設した点にある。このように、植物案内部９を長く設けることによって、根切りした植物Ｓは、植物案内部９にガイドされながら袋部２内へ容易に差し込まれる。又、同図１４に示すように、袋部２の上側の隅部２Ａを弧状に形成することもできる。
【００３４】
以上の説明においては、根切りした植物Ｓを用いた場合について説明したが、根を有する、いわゆる根付き植物を用いる場合にも適用することができるものである。
【図面の簡単な説明】
【００３５】
【図１】図１は、植物給水用の保水袋に根切りした植物を差した状態の斜視図を示す。（第１実施形態）
【図２】図２は、植物給水用の保水袋の正面図である。（第１実施形態）
【図３】図３は、植物給水用の保水袋の一部を切り欠いた状態の斜視図である。（第１実施形態）
【図４】図４は、植物給水用の保水袋を下側から観た状態の一部斜視図である。（第１実施形態）
【図５】図５は、植物給水用の保水袋に根切りした植物を差した状態の側断面図を示す。（第１実施形態）
【図６】図６は、植物給水用の保水袋を横倒しにした状態の正面図を示す。（第１実施形態）
【図７】図７は、植物給水用の保水袋を横倒しにした状態の側断面図を示す。（第１実施形態）
【図８】図８は、植物給水用の保水袋の正面図である。（第２実施形態）（第２実施形態）
【図９】図９は、植物給水用の保水袋を横倒しにした状態の正面図を示す。（第２実施形態）
【図１０】図１０は、植物給水用の保水袋の正面図を示す。（第３実施形態）
【図１１】図１１は、植物給水用の保水袋を横倒しにした状態の正面図を示す。（第３実施形態）
【図１２】図１２は、植物給水用の保水袋の正面図を示す。（第４実施形態）
【図１３】図１３は、植物給水用の保水袋を下側から観た一部斜視図を示す。（第５実施形態）
【図１４】図１４は、植物給水用の保水袋の正面図を示す。（第６実施形態）
【符号の説明】
【００３６】
１  植物給水用の保水袋
２  袋部
３  漏水防止部
４  空間
５  植物差込口
６  貯水部
９  植物案内部
【図１】
2009178147.tif 000003
【図２】
2009178147.tif 000004
【図３】
2009178147.tif 000005
【図４】
2009178147.tif 000006
【図５】
2009178147.tif 000007
【図６】
2009178147.tif 000008
【図７】
2009178147.tif 000009
【図８】
2009178147.tif 000010
【図９】
2009178147.tif 000011
【図１０】
2009178147.tif 000012
【図１１】
2009178147.tif 000013
【図１２】
2009178147.tif 000014
【図１３】
2009178147.tif 000015
【図１４】
2009178147.tif 000016